(57)【特許請求の範囲】
【請求項１】
使用者の頭にかぶせられる帽子本体（１００）と、前記帽子本体（１００）から外側に突出形成される帽子のつば（２００）とを含めてなる帽子において、
前記帽子のつば（２００）は、
ＰＥＴ繊維で製織された基材（２３２）と、低融点熱可塑性樹脂を前記基材（２３２）に塗布して形成された可変樹脂層（２３４）とからなる芯材（２３０）と；
該芯材（２３０）の一方側に配置された上側外皮（２１０）と；
前記芯材（２３０）の、前記上側外皮（２１０）が配置された側とは反対側に配置された下側外皮（２２０）；を含み、
前記可変樹脂層（２３４）は、軟化点が８０〜１１０℃である低融点熱可塑性ポリエステル樹脂からなることを特徴とする可変型つばを有する帽子。
【請求項２】
前記低融点熱可塑性ポリエステル樹脂は、
テレフタル酸１００重量部に対し、イソフタル酸５０〜７５重量部と、エチレングリコール６０〜７５重量部と、ジエチレングリコール３〜１３重量部とを混合してエステル化させて製造されたことを特徴とする請求項１に記載の可変型つばを有する帽子。
【発明の詳細な説明】
【技術分野】
【０００１】
本発明は、可変型つばを有する帽子に関するものであり、より詳しくは、使用者が自分の好みによって帽子のつばの形態を変形させることができる新しい構成の可変型つばを有する帽子に関する。
【背景技術】
【０００２】
一般的に帽子は、使用者の頭にかぶせられる帽子本体と、帽子本体の前方に突出する帽子のつばとで成っている。このような帽子で、帽子のつばは日差しを遮る機能をすると同時に、帽子の全体的デザインに少なからずの影響を及ぼす。
【０００３】
帽子のつばは、よく一対の外皮の間に厚い板紙や合成樹脂からなる芯材が内蔵され製造されるが、帽子のつばの形態が製造の過程で一定に定型化され製造されるため、使用者が帽子のつばの形を変えることは困難である。
【０００４】
一方、生活のレベルが高くなって消費者の好みが多様になることにより、もう少し独創的で個性的なデザインの帽子を求める人が増えているにも関わらず、従来の帽子は一定に定型化された形で製造されるため、消費者の様々な好みを満たすためには足りない面があった。
【先行技術文献】
【特許文献】
【０００５】
【特許文献１】大韓民国実用新案登録第２０−０３４１３８７号公報（２００４．０１．３０．）
【発明の概要】
【発明が解決しようとする課題】
【０００６】
本発明は、前記のようなところに着目して提案されたものであり、本発明の目的は使用者が自分の好みによって帽子のつばの形態をいろいろと変形できるため、使用者が自分の独創的な形の帽子を着用できるので、高い満足感を味わうことができ、帽子のつばの変形も容易である新しい構成の可変型つばを有する帽子を提供することである。
【課題を解決するための手段】
【０００７】
本発明の一特徴によると、使用者の頭にかぶせられる帽子本体（１００）と、前記帽子本体（１００）から外側に突出して形成された帽子のつば（２００）とを含めて成る帽子において、前記帽子のつば（２００）は一対の上、下側外皮（２１０、２２０）；およびＰＥＴ繊維で製織された基材（２３２）と、低融点熱可塑性樹脂を前記基材（２３２）に塗布して形成された可変樹脂層（２３４）とからなって、前記上、下側外皮（２１０、２２０）の間に積層される芯材（２３０）；とを含むことを特徴とする可変型つばを有する帽子が提供される。
【０００８】
本発明のまた一特徴によると、前記可変樹脂層（２３４）は軟化点が８０〜１１０℃である低融点熱可塑性ポリエステル樹脂からなる。
【０００９】
本発明のもう一特徴によると、前記低融点熱可塑性ポリエステル樹脂は、テレフタル酸１００重量部に対し、イソフタル酸５０〜７５重量部、エチレングリコール６０〜７５重量部、ジエチレングリコール３〜１３重量部を混合してエステル化させて製造される。
【発明の効果】
【００１０】
以上のような構成を有する本発明は、使用者が自分の好みによって帽子のつばの曲がり具合や形態を様々と変形させることができる。従って、使用者は他の帽子と差別化される自分だけの独創的デザインの帽子を着用することができて、よって、製品に対し高い満足度を持ち、これ故に使用者の購買欲が刺激され、製品販売が促進される。
【００１１】
特に、本発明は、ヘアドライヤーやアイロンを用いて簡単に帽子のつばの形を変形させることができるため、使いやすい。
【００１２】
また、帽子のつばの形を変形させて使用するによって一つの帽子で色々なスタイルを演出することができ、よって、まるで多数の帽子を所有したのと同じ効果が得られる。従って、使用者がデザインの異なる帽子をいくつも購入する必要がないため、経済的で実用的である。
【図面の簡単な説明】
【００１３】
【図１】本発明の好ましい実施例を示した斜視図である。
【図２】図１のＡ−Ａ線断面図である。
【図３】前記実施例で用いられた芯材の拡大断面図である。
【図４】本発明の使用状態図である。
【図５】本発明の使用状態図である。
【図６】本発明の他の実施例を示した斜視図である。
【図７】前記実施例の使用状態図である。
【図８】前記実施例の他の使用状態図である。
【発明を実施するための形態】
【００１４】
以下で図面を参考して本発明をより詳しく説明する。
図１ないし図３は、本発明がキャップ帽子に適用された実施例を示した図面であって、図４と図５は、使用状態図である。本発明は、図示されたように、使用者の頭にかぶせられる帽子本体（１００）と、前記帽子本体（１００）から前方へ突出形成された帽子のつば（２００）とを含めてなっているが、前記帽子本体（１００）は、一般的なキャップ帽子の帽子本体と同じ構成を有する。
【００１５】
一方、前記帽子のつば（２００）は、布からなる一対の上、下側外皮（２１０、２２０）の間に芯材（２３０）が内蔵されてなるが、前記芯材（２３０）は、ＰＥＴ繊維で製織された基材（２３２）と、基材（２３２）に低融点熱可塑性樹脂を塗布してなった可変樹脂層（２３４）とでなる。
【００１６】
前記可変樹脂層（２３４）は、低融点熱可塑性樹脂でなっていて、比較的に低温で軟化されるが、従って本発明は、後述のように、ヘアドライヤーやアイロンを用いて、前記可変樹脂層（２３４）を軟化させて芯材（２３０）の形を変形させることができる。
【００１７】
好ましくは、前記可変樹脂層（２３４）は、軟化点が８０〜１１０℃である低融点熱可塑性ポリエステル樹脂からなる。一般的にヘアドライヤーの熱風の温度が７０〜１００℃くらいであるので、可変樹脂層（２３４）の軟化点が前記のレベルであると、ヘアドライヤーを用いて可変樹脂層（２３４）を充分に軟化させることができる。
【００１８】
前記軟化点が８０〜１１０℃である低融点熱可塑性ポリエステル樹脂は、好ましくは、テレフタル酸（ｔｅｒｅｐｈｔｈａｌｉｃ  ａｃｉｄ）１００重量部に対し、イソフタル酸（ｉｓｏｐｈｔｈａｌｉｃ  ａｃｉｄ）５０〜７５重量部と、エチレングリコール（ｅｔｈｙｌｅｎｅ  ｇｌｙｃｏｌ）６０〜７５重量部と、ジエチレングリコール（ｄｉｅｔｈｙｌｅｎｅ  ｇｌｙｃｏｌ）３〜１３重量部とを混合してエステル化させたものが使用される。
【００１９】
一方、前記基材（２３２）は、前記可変樹脂層（２３４）が厚く形成されなくても芯材（２３０）が充分な厚さを有するようにするためのものである。帽子のつば（２００）は、デザイン的な面や日差しを遮る機能的な面を考える時に、ある程度ぶ厚い厚さを有する必要がある。
【００２０】
従って、芯材（２３０）が可変樹脂層（２３４）のみからなる場合には、可変樹脂層（２３４）の厚さを比較的に厚く形成すべきである。しかし、可変樹脂層（２３４）が厚く形成されると、可変樹脂層（２３４）を軟化させるために、比較的に熱を加えなければならないため、操作に不便が発生する可能性がある。
【００２１】
これに反して、本発明では、基材（２３２）に可変樹脂層（２３４）が形成されるために可変樹脂層（２３４）を比較的に厚く形成しなくても、基材（２３２）によって芯材（２３０）が適切な厚さを有する。
【００２２】
また、本実施例では、芯材（２３０）が二つ積層されたもので図示されるが、これは芯材（２３０）が比較的に薄く形成された場合に芯材（２３０）を積層することによって、帽子のつば（２００）が適切な厚さを有するようにするためである。
【００２３】
また、可変樹脂層（２３４）が厚く形成された一つの芯材（２３０）を用いる場合に比べ、可変樹脂層（２３４）が薄く形成された多数個の芯材（２３０）を用いることには、芯材（２３０）を変形させることが容易であるというメリットがある。
【００２４】
帽子のつば（２００）の厚さを調節するために芯材（２３０）の個数を様々と調節することができるのは勿論のことである。未説明符号の２０９は、前記芯材（２３０）を上下に付着させるための接着剤層である。
【００２５】
一方、前記基材（２３２）がＰＥＴ繊維からなって、可変樹脂層（２３４）が低融点熱可塑性ポリエステル樹脂からなって、基材（２３２）と可変樹脂層（２３４）とが同種の樹脂からなるため、相互付着性も良い。
【００２６】
また、基材（２３２）と可変樹脂層（２３４）とが異種の樹脂からなると、廃芯材（２３０）をリサイクルするために再生させる時、異種の樹脂を分離しなければならないが、基材（２３２）と可変樹脂層（２３４）とが同種の樹脂からなると廃芯材（２３０）のリサイクルのための再生の時に基材（２３２）と可変樹脂層（２３４）とを分離しなくても良いので、リサイクル性も良い。
【００２７】
以上のような構成を有する本発明は、次のように用いられる。
使用者は、ヘアドライヤーを用いて帽子のつば（２００）の形を変形させるが、場合によっては、アイロンを用いることもできる。
【００２８】
使用者は、ヘアドライヤーの熱風を帽子のつば（２００）に加えて、前記可変樹脂層（２３４）を軟化させる。それに、可変樹脂層（２３４）がある程度軟化されると、ヘアドライヤーをオフして帽子のつば（２００）を好みの形に変形させた後、帽子のつば（２００）を冷却させる。
【００２９】
このようにして、帽子のつば（２００）が冷却されると、可変樹脂層（２３４）は、使用者が変形させた状態に硬化され、これによって帽子のつば（２００）が図４と図５に図示されたように、変形された形で維持される。
【００３０】
図４は、帽子のつば（２００）の曲がり具合を変形させたものであり、図５は、帽子のつば（２００）の一側を上向に折って上げて変形させたものである。
【００３１】
以下に、本発明の他の実施例を説明して、前述の実施例と同じ構成および効果においては説明を省略する。
図６ないし図８は、本発明の他の実施例を示したものであって、本発明がバケットハットタイプの帽子に適用されたものを示したものである。図６は、使用者が帽子のつば（２００）の形を変形させる前の初期状態を示したものであって、図７と図８は、使用者が帽子のつば（２００）の形を変形させたものを示したものである。
【００３２】
以上のように本発明は、使用者が自分の好みによって帽子のつばの形を様々に変形して使えるので、使用者は自分の好みに合う帽子を着用することができ、従って製品において高い満足感を有するようになる。
【００３３】
以上のように、本発明がキャップ帽子、バケットハットタイプの帽子に適用されたものを例示して説明したが、本発明は、キャップ帽子、バケットハット、サンキャップなど、色々な種類の帽子に全て適用できるのは当たり前なことである。
【符号の説明】
【００３４】
１００    帽子本体
２００    帽子のつば
２１０    上側外皮
２２０    下側外皮 
２３０    芯材
２３２    基材 
２３４    可変樹脂層
【要約】
【課題】使用者が自分の好みによって帽子のつばの曲がり具合を調節することができる新しい構成の可変型つばを有する帽子を提供する。
【解決手段】本発明によると、使用者の頭にかぶせられる帽子本体（１００）と、前記帽子本体（１００）から外側に突出形成される帽子のつば（２００）とを含めてなる帽子において、前記帽子のつば（２００）は、一対の上、下側外皮（２１０、２２０）；およびＰＥＴ繊維で製織された基材（２３２）と、低融点熱可塑性樹脂を前記基材（２３２）に塗布して形成された可変樹脂層（２３４）からなって、前記上、下側外皮（２１０、２２０）の間に積層される芯材（２３０）；とを含むことを特徴とする可変型つばを有する帽子が提供される。
【選択図】図３【図１】
0005759609.tif 000002
【図２】
0005759609.tif 000003
【図３】
0005759609.tif 000004
【図４】
0005759609.tif 000005
【図５】
0005759609.tif 000006
【図６】
0005759609.tif 000007
【図７】
0005759609.tif 000008
【図８】
0005759609.tif 000009